【手続補正書】
【提出日】平成26年3月13日(2014.3.13)
【手続補正１】
【補正対象書類名】特許請求の範囲
【補正対象項目名】全文
【補正方法】変更
【補正の内容】
【特許請求の範囲】
【請求項１】
フェムトセルの位置を特定するユーザ機器（ＵＥ）のための方法であって、
少なくとも１つのフェムトセルの位置を特定する情報をデータベースに記憶することであって、前記情報は各フェムトセルの一意な識別情報を備える、情報をデータベースに記憶することと、
前記ＵＥが少なくとも１つのフェムトセルの略近傍にあるかどうかを判断するために前記データベース内を検索することと、
前記ＵＥが少なくとも１つのフェムトセルの略近傍にある場合、前記フェムトセルに対応する前記データベース情報を使用して前記フェムトセルにアクセスすることと、
を備える方法。
【請求項２】
システム識別（ＩＤ）データベースエントリが前記フェムトセルの周りのマクロシステムの前記システムＩＤに一致し、ネットワークＩＤデータベースエントリが前記フェムトセルの周りの前記マクロシステムの前記ネットワークＩＤに一致し、基地ＩＤデータベースエントリが前記マクロセルの前記基地ＩＤに一致し、基地緯度が前記マクロセルの前記緯度に一致し、且つ、基地経度が前記マクロセルの前記経度に一致するとき、一致があると判断する、一致を求めて前記データベースを検索することと、
一致がある場合、前記ＵＥをフェムトセル周波数ＦＦに同調させることと、
信号のサンプルセグメントを取り出すことと、
セル特有信号のパイロット検索を行うことと、
一致がない場合、前記ＵＥをマクロセル周波数ＦＭに同調させることと、
をさらに備える、請求項１に記載の方法。
【請求項３】
十分な信号強度をもつ前記セル特有信号を求めて前記データベースを検索することと、
十分な信号強度の前記セル特有信号が発見された場合、前記ＵＥによって前記フェムトセルのアイドルハンドオフ（ＨＯ：Handoff）を実行することと、
十分な信号強度のセル特有信号が発見されなかった場合、前記ＵＥを前記マクロセル周波数ＦＭに同調させることと、
をさらに備える、請求項２に記載の方法。
【請求項４】
前記ＵＥによってフェムトセルページングチャネルを復調することと、
フェムトセルシステムパラメータメッセージ（ＳＰＭ：System Parameters Message）を受信することと、
前記ＵＥを前記フェムトセルに登録することと、
をさらに備える、請求項３に記載の方法。
【請求項５】
前記ＵＥによって、パラメータ、システムＩＤと，ネットワークＩＤと，基地ＩＤとを確認することと、
前記フェムトセルＳＰＭ中でブロードキャストされた、前記フェムトセルのシステムＩＤと、前記フェムトセルの前記ネットワークＩＤと、基地ＩＤと一致させることと、
一致が確認できなかった場合、前記フェムトセルにアクセスすることを許されるかどうかを判断するために前記フェムトセルへの登録を試みることと、
をさらに備える、請求項４に記載の方法。
【請求項６】
前記データベースに記憶された前記情報は、フェムトセルごとに、搬送周波数と、位置と、しきい値よりも高い信号強度をもつセル特有信号のリストと、前記フェムトセルのシステムＩＤと、前記フェムトセルのブロードキャストされた基地ＩＤと、を含む、請求項１に記載の方法。
【請求項７】
少なくとも１つのプロセッサと、前記少なくとも１つのプロセッサに結合されたメモリと、を備えるユーザ機器（ＵＥ）であって、
前記少なくとも１つのプロセッサは、
少なくとも１つのフェムトセルの位置を特定する情報をデータベースに記憶することであって、前記情報は各フェムトセルの一意な識別情報を備える、情報をデータベースに記憶し、
前記ＵＥが少なくとも１つのフェムトセルの略近傍にあるかどうかを判断するために、前記データベース内を検索し、
前記ＵＥが少なくとも１つのフェムトセルの略近傍にある場合、前記フェムトセルに対応する前記データベース情報を使用して前記フェムトセルにアクセスする、
ように構成される、ユーザ機器（ＵＥ）。
【請求項８】
前記プロセッサはさらに、
システム識別（ＩＤ）データベースエントリが前記フェムトセルの周りのマクロシステムの前記システムＩＤに一致し、ネットワークＩＤデータベースエントリが前記フェムトセルの周りの前記マクロシステムの前記ネットワークＩＤに一致し、基地ＩＤデータベースエントリが前記マクロセルの前記基地ＩＤに一致し、基地緯度が前記マクロセルの前記緯度に一致し、且つ、基地経度が前記マクロセルの前記経度に一致するとき、一致があると判断する、一致を求めて前記データベースを検索し、
一致がある場合、前記ＵＥをフェムトセル周波数ＦＦに同調させ、
信号のサンプルセグメントを取り出し、
セル特有信号のパイロット検索を行い、
一致がない場合、前記ＵＥをマクロセル周波数ＦＭに同調させる、
ように構成される、請求項７に記載のユーザ機器。
【請求項９】
前記プロセッサはさらに、
十分な信号強度をもつ前記セル特有信号を求めて前記データベースを検索し、
十分な信号強度の前記セル特有信号が発見された場合、前記ＵＥによって前記フェムトセルのアイドルハンドオフ（ＨＯ：Handoff）を実行し、
十分な信号強度のセル特有信号が発見されなかった場合、前記ＵＥを前記マクロセル周波数ＦＭに同調させる、
ように構成される、請求項８に記載のユーザ機器。
【請求項１０】
前記プロセッサはさらに、
前記ＵＥによってフェムトセルページングチャネルを復調し、
フェムトセルシステムパラメータメッセージ（ＳＰＭ：System Parameters Message）を受信し、
前記ＵＥを前記フェムトセルに登録する、
ように構成される、請求項９に記載のユーザ機器。
【請求項１１】
前記プロセッサはさらに、
前記ＵＥによって、パラメータ、システムＩＤと，ネットワークＩＤと，基地ＩＤとを確認し、
前記フェムトセルＳＰＭ中でブロードキャストされた、前記フェムトセルのシステムＩＤと、前記フェムトセルの前記ネットワークＩＤと、基地ＩＤと一致させ、
一致が確認できなかった場合、前記フェムトセルにアクセスすることを許されるかどうかを判断するために前記フェムトセルへの登録を試みる、
ように構成される、請求項１０に記載のユーザ機器。
【請求項１２】
前記データベースに記憶された前記情報は、フェムトセルごとに、搬送周波数と、位置と、しきい値よりも高い信号強度をもつセル特有信号のリストと、前記フェムトセルのシステムＩＤと、前記フェムトセルのブロードキャストされた基地ＩＤと、を含む、請求項７に記載のユーザ機器。
【請求項１３】
コンピュータに、
少なくとも１つのフェムトセルの位置を特定する情報をデータベースに記憶させることであって、前記情報は各フェムトセルの一意な識別情報を備える、情報をデータベースに記憶させ、
ユーザ機器（ＵＥ）が少なくとも１つのフェムトセルの略近傍にあるかどうかを判断するために前記データベース内を検索させ、
前記ＵＥが少なくとも１つのフェムトセルの略近傍にある場合、前記フェムトセルに対応する前記データベース情報を使用して前記フェムトセルにアクセスさせる、
ためのコードを備えるプログラムを記録したコンピュータ可読媒体。
【請求項１４】
前記プログラムは、前記コンピュータに、
システム識別（ＩＤ）データベースエントリが前記フェムトセルの周りのマクロシステムの前記システムＩＤに一致し、ネットワークＩＤデータベースエントリが前記フェムトセルの周りの前記マクロシステムの前記ネットワークＩＤに一致し、基地ＩＤデータベースエントリが前記マクロセルの前記基地ＩＤに一致し、基地緯度が前記マクロセルの前記緯度に一致し、基地経度が前記マクロセルの前記経度に一致するとき、一致があると判断する、一致を求めて前記データベースを検索させ、
一致がある場合、前記ＵＥをフェムトセル周波数ＦＦに同調させ、
信号のサンプルセグメントを取り出させ、
セル特有信号のパイロット検索を行わせ、
一致がない場合、前記ＵＥをマクロセル周波数ＦＭに同調させる、
ためのコードをさらに備える、請求項１３に記載のコンピュータ可読記録媒体。
【請求項１５】
前記プログラムは、前記コンピュータに、
十分な信号強度をもつ前記セル特有信号を求めて前記データベースを検索させ、
十分な信号強度の前記セル特有信号が発見された場合、前記ＵＥによって前記フェムトセルのアイドルハンドオフ（ＨＯ）を実行させ、
十分な信号強度のセル特有信号が発見されなかった場合、前記ＵＥを前記マクロセル周波数ＦＭに同調させる、
ためのコードをさらに備える、請求項１４に記載のコンピュータ可読記録媒体。
【請求項１６】
前記プログラムは、前記コンピュータに、
前記ＵＥによってフェムトセルページングチャネルを復調させ、
フェムトセルシステムパラメータメッセージ（ＳＰＭ）を受信させ、
前記ＵＥを前記フェムトセルに登録させる、
ためのコードをさらに備える、請求項１５に記載のコンピュータ可読記録媒体。
【請求項１７】
前記プログラムは、前記コンピュータに、
前記ＵＥによって、パラメータ、システムＩＤと，ネットワークＩＤと，基地ＩＤとを確認させ、
前記フェムトセルＳＰＭ中でブロードキャストされた、前記フェムトセルのシステムＩＤと、前記フェムトセルの前記ネットワークＩＤと、基地ＩＤと一致させ、
一致が確認できなかった場合、前記フェムトセルにアクセスすることを許されるかどうかを判断するために前記フェムトセルへの登録を試みさせる、
ためのコードをさらに備える、請求項１６に記載のコンピュータ可読記録媒体。
【請求項１８】
前記データベースに記憶された前記情報は、フェムトセルごとに、搬送周波数と、位置と、しきい値よりも高い信号強度をもつセル特有信号のリストと、前記フェムトセルのシステムＩＤと、前記フェムトセルのブロードキャストされた基地ＩＤと、を含む、請求項１３に記載のコンピュータ可読記録媒体。
【請求項１９】
少なくとも１つのフェムトセルの位置を特定する情報をデータベースに記憶するための手段であって、前記情報は各フェムトセルの一意な識別情報を備える、情報をデータベースに記憶するための手段と、
ユーザ機器（ＵＥ）が少なくとも１つのフェムトセルの略近傍にあるかどうかを判断するために前記データベース内を検索するための手段と、
前記ＵＥが少なくとも１つのフェムトセルの略近傍にある場合、前記フェムトセルに対応する前記データベース情報を使用して前記フェムトセルにアクセスするための手段と、
を備える、フェムトセルの位置を特定する装置。
【請求項２０】
システム識別（ＩＤ）データベースエントリが前記フェムトセルの周りのマクロシステムの前記システムＩＤに一致し、ネットワークＩＤデータベースエントリが前記フェムトセルの周りの前記マクロシステムの前記ネットワークＩＤに一致し、基地ＩＤデータベースエントリが前記マクロセルの前記基地ＩＤに一致し、基地緯度が前記マクロセルの前記緯度に一致し、且つ、基地経度が前記マクロセルの前記経度に一致するとき、一致があると判断する、一致を求めて前記データベースを検索するための手段と、
一致がある場合、前記ＵＥをフェムトセル周波数ＦＦに同調させるための手段と、
信号のサンプルセグメントを取り出すための手段と、
セル特有信号のパイロット検索を行うための手段と、
一致がない場合、前記ＵＥをマクロセル周波数ＦＭに同調させるための手段と、
をさらに備える、請求項１９に記載の装置。
【請求項２１】
十分な信号強度をもつ前記セル特有信号を求めて前記データベースを検索するための手段と、
十分な信号強度の前記セル特有信号が発見された場合、前記ＵＥによって前記フェムトセルのアイドルハンドオフ（ＨＯ）を実行するための手段と、
十分な信号強度のセル特有信号が発見されなかった場合、前記ＵＥを前記マクロセル周波数ＦＭに同調させるための手段と、
をさらに備える、請求項２０に記載の装置。
【請求項２２】
前記ＵＥによってフェムトセルページングチャネルを復調するための手段と、
フェムトセルシステムパラメータメッセージ（ＳＰＭ）を受信するための手段と、
前記ＵＥを前記フェムトセルに登録するための手段と、
をさらに備える、請求項２１に記載の装置。
【請求項２３】
前記ＵＥによって、パラメータ、システムＩＤと，ネットワークＩＤと，基地ＩＤとを確認するための手段と、
前記フェムトセルＳＰＭ中でブロードキャストされた、前記フェムトセルのシステムＩＤと、前記フェムトセルの前記ネットワークＩＤと、基地ＩＤと一致させるための手段と、
一致が確認できなかった場合、前記フェムトセルにアクセスすることを許されるかどうかを判断するために前記フェムトセルへの登録を試みるための手段と、
をさらに備える、請求項２２に記載の装置。
【請求項２４】
前記データベースに記憶された前記情報は、フェムトセルごとに、搬送周波数と、位置と、しきい値よりも高い信号強度をもつセル特有信号のリストと、前記フェムトセルのシステムＩＤと、前記フェムトセルのブロードキャストされた基地ＩＤと、を含む、請求項１９に記載の装置。